(57)【要約】【課題】  セキュリティ機能を有する電話システムにおいて、配線などのコストを抑える。【解決手段】  内線電話機１０Ａ〜１０Ｎの少なくとも１台に、異常を検知するセンサを接続する。主装置２０に、通報先メモリ２７と、音声蓄積回路２８とを設ける。センサが異常を検知したとき、この検知したセンサを有する内線電話機から自機を示すデータを主装置２０に送る。主装置２０は、異常を検知した内線電話機からデータが送られてきたとき、通報先メモリ２７を参照して異常に対応した通報先の電話番号を取り出し、その電話番号の通報先に発呼を行う。通報先が応答したとき、音声蓄積回路２８から、異常を検知したセンサを有する内線電話機、あるいはその内線電話機の設置場所を示す音声データと、異常の内容を示す音声データとを取り出して通報先に送り出す。【選択図】  図２
2008011580.tif 000002
【特許請求の範囲】
【請求項１】
複数の内線電話機と、その主装置とから構成され、
上記複数の内線電話機の少なくとも１台は、異常を検知するセンサが接続され、
上記主装置は、
上記センサが検知した異常の通報先の電話番号を有する通報先メモリと、
上記センサが検知した異常の内容を示す音声データを有する音声蓄積回路と
を備え、
上記センサが上記異常を検知したとき、この検知したセンサを有する内線電話機から自機を示すデータを上記主装置に送り、
上記主装置は、上記異常を検知したセンサを有する内線電話機から上記データが送られてきたとき、この送られてきたデータにより上記通報先メモリを参照して上記異常に対応した通報先の電話番号を取り出し、
この取り出した電話番号の通報先に発呼を行うとともに、
上記通報先が応答したとき、上記送られてきたデータにより上記音声蓄積回路から、上記異常を検知したセンサを有する内線電話機、あるいはその内線電話機の設置場所を示す音声データと、上記異常の内容を示す音声データとを取り出し、
この取り出した音声データを上記通報先に送り出す
ようにした電話システム。
【発明の詳細な説明】
【技術分野】
【０００１】
この発明は、セキュリティ機能を有する電話システムに関する。
【背景技術】
【０００２】
一般のセキュリティシステムにおいては、侵入者や出火などの異常事態を検出したとき、これを電話回線を通じてあらかじめ設定されている警察や消防署などに通報するようにされている。
【０００３】
図５は、通報装置を構内電話システムに組み合わせることにより、そのようなセキュリティシステムを構築した場合の一例を示す。すなわち、図５において、符号１０Ａ〜１０Ｎは複数Ｎ台の内線ボタン電話機、符号２０はその主装置、符号３０は通報装置を示す。
【０００４】
この例においては、主装置２０は、電話回線として３回線のＩＳＤＮ回線４１〜４３を扱う場合であり、Ｎ台分の内線インターフェイス２１Ａ〜２１Ｎと、交換スイッチ２２と、３回線分の回線インターフェイス２３１〜２３３とを有する。そして、ボタン電話機１０Ａ〜１０Ｎは、内線インターフェイス２１Ａ〜２１Ｎを通じて交換スイッチ２２に接続され、この交換スイッチ２２は回線インターフェイス２３１〜２３３を通じて電話回線４１〜４３に接続されている。
【０００５】
さらに、主装置２０は、マイクロコンピュータなどにより構成された制御回路２４を有し、この制御回路２４により内線インターフェイス２１Ａ〜２１Ｎ、交換スイッチ２２および回線インターフェイス２３１〜２３３が制御されて発信や着信などが実現される。また、主装置２０は、その動作電源として、商用交流電圧を入力とする電源回路２５と、停電時のバックアップ用の充電式電池２６とを有する。
【０００６】
一方、通報装置３０には、センサ３１Ａ〜３１Ｎが接続されている。このセンサ３１Ａ〜３１Ｎは、構内への侵入者を検知する人感センサや構内での出火を検知する火災センサなどであり、構内の異常を検知するべき場所にそれぞれ設置される。
【０００７】
そして、通報装置３０は、回線インターフェイス３３および制御回路３４に加えて、通報先メモリ３７と、音声蓄積回路３８と、リレー３９とが設けられる。この場合、制御回路３４は、マイクロコンピュータなどを有して構成され、この制御回路３４により音声蓄積回路３８および回線インターフェイス３３が制御される。
【０００８】
また、通報先メモリ３７には、侵入者や出火などの異常事態を検出したとき、その通報先となる警察、消防署、警備会社などの電話番号のデータが用意され、音声蓄積回路３８には、通報を音声で告げるための音声データが通報内容ごとに用意されている。
【０００９】
さらに、リレー３９は制御回路３４に接続され、そのリレー接点３９Ｓのうち、常閉接点NCが主装置２０の回線インターフェイス２３３に接続され、共通接点が電話回線４３に接続され、常開接点NOが回線インターフェイス３３に接続されている。また、通報装置３０は、その動作電源として、商用交流電圧を入力とする電源回路３５と、停電時のバックアップ用の充電式電池３６とを有する。
【００１０】
したがって、平常時には、回線インターフェイス２３３は、リレー接点３９Ｓのうちの常閉接点NCおよび共通接点を通じて電話回線４３に接続されているので、ボタン電話機１０Ａ〜１０Ｎは主装置２０を通じて電話回線４１〜４３に接続されていることになる。したがって、平常時は、交換スイッチ２２によりボタン電話機１０Ａ〜１０Ｎが選択的に電話回線４１〜４３に接続され、発信や着信を行うことができる。
【００１１】
しかし、構内に侵入者や火災などの異常が発生すると、これがセンサ３１Ａ〜３１Ｎのどれかによって検知され、制御回路３４に通知される。すると、制御回路３４によりリレー３９がドライブされ、通報装置３０の回線インターフェイス３３が、リレー接点３９Ｓのうちの常開接点NOおよび共通接点を通じて電話回線４３に接続される。さらに、制御回路３４は、異常を通知してきたセンサに対応する通報先の電話番号のデータを通報先メモリ３７から読み出し、この電話番号のデータにより対応する通報先に電話をかける。
【００１２】
そして、通報先が応答すると、異常を通知してきたセンサに対応する音声データを音声蓄積回路３８から取り出し、この音声データを回線インターフェイス３３を通じて電話回線４３に送り出す。したがって、センサの検知した異常が音声により警察や消防署などに通報されたことになる。こうして、図５に示すシステムによれば、構内に侵入者や火災などの異常が発生したとき、これを警察や消防署などの適切な相手に通報することができる。
【００１３】
なお、上記の技術に関連する資料として、例えば下記の文献がある。
【特許文献１】特公昭６３−３７５４９号公報
【特許文献２】特開平１１−１１２６９４号公報
【特許文献３】特開２０００−３４１４４１号公報
【発明の開示】
【発明が解決しようとする課題】
【００１４】
ところが、図５に示すシステムにおいては、構内電話システムの主装置２０に通報装置３０を組み合わせてセキュリティシステムを構築しているので、ボタン電話機１０Ａ〜１０Ｎと主装置２０との間の配線に加えて、センサ３１Ａ〜３１Ｎと通報装置３０との間の配線、および主装置２０と通報装置３０との間の配線が必要となり、配線の工事費用が高額になってしまう。
【００１５】
また、平常時には使用しない回線インターフェイス３３を必要とするとともに、電源回路２５および充電式電池２６と、電源回路３５および充電式電池３６とを重複して必要とし、この点からシステムが高額になってしまう。
【００１６】
この発明は、このような問題点を解決しようとするものである。
【課題を解決するための手段】
【００１７】
この発明においては、
複数の内線電話機と、その主装置とから構成され、
上記複数の内線電話機の少なくとも１台は、異常を検知するセンサが接続され、
上記主装置は、
上記センサが検知した異常の通報先の電話番号を有する通報先メモリと、
上記センサが検知した異常の内容を示す音声データを有する音声蓄積回路と
を備え、
上記センサが上記異常を検知したとき、この検知したセンサを有する内線電話機から自機を示すデータを上記主装置に送り、
上記主装置は、上記異常を検知したセンサを有する内線電話機から上記データが送られてきたとき、この送られてきたデータにより上記通報先メモリを参照して上記異常に対応した通報先の電話番号を取り出し、
この取り出した電話番号の通報先に発呼を行うとともに、
上記通報先が応答したとき、上記送られてきたデータにより上記音声蓄積回路から、上記異常を検知したセンサを有する内線電話機、あるいはその内線電話機の設置場所を示す音声データと、上記異常の内容を示す音声データとを取り出し、
この取り出した音声データを上記通報先に送り出す
ようにした電話システム
とするものである。
【発明の効果】
【００１８】
この発明によれば、異常を検知するセンサの検知出力を、ボタン電話機を通じて主装置に送るようにしているので、各機器の間の配線がセキュリティ機能がない電話システムの場合と同じになり、配線の工事費用を抑えることができる。また、電源回路や停電時のバックアップ回路を重複する必要もないので、この点からもシステムのコストを抑えることができる。
【発明を実施するための最良の形態】
【００１９】
図１は、この発明による電話システムの一例を、ボタン電話機を中心にして示し、図２は主装置を中心にして示す。そして、これらの図において、符号１０Ａ〜１０Ｎは複数Ｎ台の内線ボタン電話機、符号２０はその主装置である。
【００２０】
この場合、ボタン電話機１０Ａは、ハンドセット１１と、ハンズフリーで通話を行うためのマイクロフォン１２およびスピーカ１３とを有し、これらがコーデック１４を通じて内線インターフェイス１５に接続され、この内線インターフェイス１５が主装置２０に接続されている。
【００２１】
さらに、ボタン電話機１０Ａは、マイクロコンピュータなどにより構成された制御回路１６を有し、この制御回路１６は、コーデック１４および内線インターフェイス１５に接続されている。また、制御回路１６には、ダイヤルキーおよび機能キーなどの各種のキー１７が接続されるとともに、着信番号などを表示するためのディスプレイとしてＬＣＤ１８が接続されている。
【００２２】
また、ボタン電話機１０Ａはセンサ１９を内蔵している。このセンサ１９は、構内での出火を熱や煙により検知する火災センサや構内への侵入者を検知する人感センサなどであり、そのセンサ出力は制御回路１６に供給される。さらに、説明および図示は省略するが、他のボタン電話機１０Ｂ〜１０Ｎもボタン電話機１０Ａと同様に構成されている。
【００２３】
一方、主装置２０は、この例においては、電話回線として３回線のＩＳＤＮ回線４１〜４３を扱う場合であり、Ｎ台分の内線インターフェイス２１Ａ〜２１Ｎと、交換スイッチ２２と、３回線分の回線インターフェイス２３１〜２３３とを有する。そして、ボタン電話機１０Ａ〜１０Ｎは、内線インターフェイス２１Ａ〜２１Ｎを通じて交換スイッチ２２に接続されるとともに、この交換スイッチ２２は回線インターフェイス２３１〜２３３を通じて電話回線４１〜４３に接続されている。
【００２４】
また、主装置２０は、マイクロコンピュータなどにより構成された制御回路２４を有する。そして、この制御回路２４により、内線インターフェイス２１Ａ〜２１Ｎおよび回線インターフェイス２３１〜２３３の状態が検出されるとともに、内線インターフェイス２１Ａ〜２１Ｎ、交換スイッチ２２および回線インターフェイス２３１〜２３３が制御され、発信や着信など実現される。また、制御回路２４には、異常時にマイクロコンピュータが実行する警報プログラムとして例えば図３に示すルーチンが用意される。
【００２５】
さらに、主装置２０は、通報先メモリ２７と、音声蓄積回路２８とを有する。この場合、通報先メモリ２７には、侵入者や出火などの異常事態を検出したとき、その通報先となる警察、消防署、警備会社などの電話番号のデータが用意されるとともに、ボタン電話機１０Ａ〜１０Ｎと、その設置場所との対応テーブルが用意されている。また、音声蓄積回路２８には、通報を音声で告げるための音声データが通報内容ごとに用意されている。
【００２６】
なお、主装置２０は、その動作電源が、商用交流電圧を入力とする電源回路２５と、停電時のバックアップ用の充電式電池２６とから構成される。
【００２７】
このような構成において、平常時には、ボタン電話機１０Ａ〜１０Ｎおよび主装置２０は、通常のボタン電話機および主装置と同様に処理を実行する。例えば、ボタン電話機１０Ａからの発呼時には、ボタン電話機１０Ａが交換スイッチ２２を通じて電話回線４１〜４３のうちの空いている電話回線に接続され、以後、発信や通話などが実現される。
【００２８】
一方、侵入者や火災などの異常が発生すると、その異常が図３に示すルーチンにより通報される。すなわち、例えばボタン電話機１０Ａのセンサ１９により異常が検知されたとすると、センサ１９の出力が制御回路１６により自機を示す識別コード、今の場合は、ボタン電話機１０Ａを示す識別コードに変換され、この識別コードと、異常の種類（侵入者や出火など）を示すデータとが内線インターフェイス１５を通じて主装置２０へと送られる。
【００２９】
すると、主装置２０においては、ボタン電話機１０Ａから送られてきた異常の種類を示すデータに基づいて通報先メモリ２７から該当する通報先の電話番号のデータが取り出され、この取り出された電話番号のデータにより該当する通報先へと発呼が行われる。なお、この発呼は、制御回路２４が交換スイッチ２２を制御することにより、電話回線４１〜４３のうちの空いている電話回線を通じて行われる。
【００３０】
そして、相手が応答すると、音声蓄積回路２８から音声データが取り出され、この音声データが通報先へと送り出される。この場合、音声蓄積回路２８から取り出される音声データは、ボタン電話機１０Ａから送られてきた異常の種類を示すデータと、識別コードとに基づいた内容の音声データとされるもので、例えば、「内線234番付近で火災が発生しました」の音声データとされる。
【００３１】
あるいはボタン電話機１０Ａ〜１０Ｎと、その設置場所との対応テーブルを参照することにより、異常を通知してきたボタン電話機の設置場所を示す音声データも取り出され、「345号室に侵入者です。」のような音声データとされる。つまり、音声蓄積回路２８からは、異常の種類を告げるとともに、その異常の発生したボタン電話機の設置場所を示す内容の音声データが取り出される。
【００３２】
さらに、すべてのボタン電話機１０Ａ〜１０Ｎはオンフックのままで各スピーカ１３が有効とされるとともに、通報先に送り出された音声データと同じ音声データが供給され、したがって、ボタン電話機１０Ａ〜１０Ｎの各スピーカ１３からは、例えば「345号室に侵入者です。」のような音声が一斉に出力される。したがって、以後、通報先は、その通報内容に対応した行動を取ることができ、構内の警備員などもその異常に対処することことができる。
【００３３】
こうして、図１および図２に示す電話システムによれば、異常が発生したとき、その異常に対処することができるが、その場合、ボタン電話機１０Ａ〜１０Ｎに異常を検知する各センサ１９を内蔵させ、その検知出力を、ボタン電話機１０Ａ〜１０Ｎと、主装置２０との間のケーブル、すなわち、通話に使用するケーブルを通じて主装置２０に送るようにしている。したがって、図５に示す電話システムにおけるセンサ３１Ａ〜３１Ｎと通報装置３０との間の配線や主装置２０と通報装置３０との間の配線が不要となり、配線の工事費用を抑えることができる。
【００３４】
また、図５の電話システムにおいては、平常時には使用しない回線インターフェイス３３を必要とするとともに、電源回路２５および充電式電池２６と、電源回路３５および充電式電池３６とを重複して必要とするが、図１および図２の電話システムによれば、そのような必要がなく、この点からもシステムのコストを抑えることができる。
【００３５】
さらに、各ボタン電話機１０Ａ〜１０Ｎの各スピーカ１３からも一斉に警報の音声が出力されるので、侵入者を威嚇することもできるとともに、警備員が構内をパトロール中であっても警備員に通報することができる。さらに、異常が発生したとき、回線４１〜４３のいずれかが空いていれば、その空いている回線を使用することにより、空いている回線がなければ、いずれかの回線をいったん強制切断してから使用することにより、異常を通報することができる。また、必要ならば、同時に２か所以上に通報することもできる。
【００３６】
図４に示す電話システムにおいては、主装置２０の交換スイッチ２２にネットワークインターフェイス２３４が接続され、このネットワークインターフェイス２３４がケーブル４４を通じてＷＡＮ５０に接続されている場合である。したがって、この場合には、ＷＡＮ５０との間でも、警報に関する情報をやりとりすることができる。
【００３７】
なお、上述においては、すべてのボタン電話機１０Ａ〜１０Ｎに各センサ１９を設けた場合であるが、一部のボタン電話機だけにセンサ１９を設けることもでき、あるいは１台のボタン電話機に検知対象の異なる複数のセンサを設けることもできる。また、センサ１９をボタン電話機に内蔵させないで、外付けとすることもできる。
【００３８】
さらに、警備の開始や解除は主装置２０のボタン操作で行うようにすることもできるが、ボタン電話機１０Ａ〜１０Ｎのいずれかのキー１７に対して所定のキー操作したとき、警備の開始や解除が実行されるようにすることもできる。その場合、例えば、警備の開始のキー操作をしてから１分後に警備が開始され、センサ１９が人を検知してから１分後に通報を行うようにすれば、それらのキー操作を行っている人が侵入者として通報されることがない。
【００３９】
また、警備の開始や解除は、ボタン電話機１０Ａ〜１０Ｎをグループ分けしておき、そのグループ単位で行うこともできる。さらに、通報時、音声蓄積回路３８に代えてモデムを接続し、音声データの代わりに異常を告げるデータを送出することもできる。また、ボタン電話機および主装置に代えてＩＰ電話機および呼制御サーバとすることもできる。
【００４０】
〔略語の一覧〕
ＩＳＤＮ：Integrated Service Digital Network
ＬＣＤ  ：Liquid Crystal Display
ＷＡＮ  ：Wide Area Network
【図面の簡単な説明】
【００４１】
【図１】この発明の一形態を示す系統図である。
【図２】この発明の一形態を示す系統図である。
【図３】この発明の一形態を示すフローチャートである。
【図４】この発明の他の形態を示す系統図である。
【図５】この発明を説明するための系統図である。
【符号の説明】
【００４２】
１０Ａ〜１０Ｎ…ボタン電話機、１１…ハンドセット、１４…コーデック、１５…内線インターフェイス、１６…制御回路、１９…センサ、２０…主装置、２１Ａ〜２１Ｎ…内線インターフェイス、２２…交換スイッチ、２４…制御回路、２７…通話先メモリ、２８…音声蓄積回路、４１〜４３…電話回線、２３１〜２３３…回線インターフェイス
【図１】
2008011580.tif 000003
【図２】
2008011580.tif 000004
【図３】
2008011580.tif 000005
【図４】
2008011580.tif 000006
【図５】
2008011580.tif 000007
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
複数の内線電話機と、その主装置とから構成され、
上記複数の内線電話機の少なくとも１台には、異常を検知するセンサが内蔵され、
上記主装置は、
上記センサが検知した異常の通報先の電話番号を有するメモリと、
上記センサが検知した異常の内容を示す音声データを有する音声蓄積回路と
を備え、
上記異常を検知するセンサを内蔵する内線電話機は、上記センサの異常の検知に基づいて、上記異常を示すデータを上記主装置に送り、
上記主装置は、上記異常を検知したセンサを有する内線電話機から送られてきた上記異常を示すデータにより上記メモリを参照して上記異常の通報先の電話番号を取り出し、
上記取り出した電話番号の通報先に発呼を行うとともに、
上記通報先の応答後、上記音声蓄積回路から、上記異常を示すデータに基づいて、上記異常の内容を示す音声データを取り出し、
この取り出した音声データを上記通報先に送り出す
ことを特徴とする電話システム。
【請求項２】
請求項１に記載の電話システムにおいて、
上記内線電話機は、オンフックの状態で有効となるスピーカを備え、
上記異常を示すデータに基づいて、上記異常の内容を示す音声データが上記内線電話機のスピーカに供給されて、音声が一斉に出力される
ことを特徴とする電話システム。
【手続補正２】
【補正対象書類名】明細書
【補正対象項目名】００１７
【補正方法】変更
【補正の内容】
【００１７】
この発明においては、
複数の内線電話機と、その主装置とから構成され、
上記複数の内線電話機の少なくとも１台には、異常を検知するセンサが内蔵され、
上記主装置は、
上記センサが検知した異常の通報先の電話番号を有するメモリと、
上記センサが検知した異常の内容を示す音声データを有する音声蓄積回路と
を備え、
上記異常を検知するセンサを内蔵する内線電話機は、上記センサの異常の検知に基づいて、上記異常を示すデータを上記主装置に送り、
上記主装置は、上記異常を検知したセンサを有する内線電話機から送られてきた上記異常を示すデータにより上記メモリを参照して上記異常の通報先の電話番号を取り出し、
上記取り出した電話番号の通報先に発呼を行うとともに、
上記通報先の応答後、上記音声蓄積回路から、上記異常を示すデータに基づいて、上記異常の内容を示す音声データを取り出し、
この取り出した音声データを上記通報先に送り出す電話システム
を提供することを特徴とする。